(57)【要約】【課題】  人間の頭部への装着状態において顔面に接触している部分が顔面に沿って曲がり易くて鼻孔カニューラが顔面に馴染み易いので、人間の頭部への装着状態における適合感が良好な、鼻孔カニューラを提供する。【解決手段】  中央部２２、中間部２４及び端部２３のうちの顔面との接触部を含む平面に垂直な方向における中間部２４の厚さが、中央部２２及び端部２３の何れの厚さよりも薄い。このため、人間の頭部への装着状態において、顔面に接触している中間部２４が顔面に沿って曲がり易くて、鼻孔カニューラ２１が顔面に馴染み易い。従って、人間の頭部への装着状態における適合感が良好である。【選択図】  図１
0003107787.tif 000002
【実用新案登録請求の範囲】
【請求項１】
鼻孔に挿入される一対の突出部を有する中央部と、チューブに接続される一対の端部と、前記中央部と前記一対の端部との間の一対の中間部とが設けられており、
前記中央部、前記中間部及び前記端部のうちの顔面との接触部を含む平面に垂直な方向における前記中間部の厚さが、前記中央部及び前記端部の何れの厚さよりも薄い鼻孔カニューラ。
【請求項２】
前記中央部及び前記中間部における前記接触部が平面である請求項１に記載の鼻孔カニューラ。
【考案の詳細な説明】
【技術分野】
【０００１】
本考案は、呼吸療法のための医療用具であって、チューブに接続される一対の端部同士の間の部分に、鼻孔に挿入される一対の突出部が設けられている鼻孔カニューラに関するものである。
【背景技術】
【０００２】
図５は、鼻孔カニューラの従来の一形態を示している（例えば、非特許文献１）。この従来の形態の鼻孔カニューラ１１は軟質の合成樹脂で製造されており、鼻孔カニューラ１１は全体的には略均一な太さの一本の円筒状である。鼻孔カニューラ１１の長手方向の中央部１２が一対の筒状の突出部１３を有しており、中央部１２の内部と突出部１３の内部とが互いに連通している。鼻孔カニューラ１１の一対の端部１４の各々に円筒状のチューブ１５の一方の端部が挿入及び固定されており、一対のチューブ１５の他方の端部はストッパリング１６で纏められた状態で接続管１７に挿入及び固定されている。
【非特許文献１】株式会社インターメドジャパン「ハドソン酸素カニューラ・マスク」カタログ
【０００３】
接続管１７には一本のチューブ１８の一方の端部が挿入及び固定されており、チューブ１８の他方の端部はソケット１９に挿入及び固定されている。ソケット１９は酸素発生装置（図示せず）等に接続される。人間の頭部への鼻孔カニューラ１１の装着に際しては、一対の突出部１３を鼻孔に挿入して鼻孔カニューラ１１を上顎に位置させ、一対のチューブ１５を両耳に掛け、ストッパリング１６の位置を調節して顔面に対するチューブ１５の移動や揺動を防止することによって、顔面に対する鼻孔カニューラ１１の位置を固定する。この状態で、酸素発生装置等で発生された酸素が突出部１３を介して患者に供給される。
【考案の開示】
【考案が解決しようとする課題】
【０００４】
ところが、図５に示されている従来の形態の鼻孔カニューラ１１は、軟質の合成樹脂で製造されてはいるが、全体的には略均一な太さの真っ直ぐな円筒状である。このため、鼻孔カニューラ１１には特に曲がり易い部分が存在しておらず、そのために、鼻孔カニューラ１１は比較的曲がりにくい。一方、顔面は当然に曲面であり、しかも、顔面の曲面には個人差がある。
【０００５】
このため、図５に示されている従来の形態の鼻孔カニューラ１１では、人間の頭部への装着状態において顔面に接触している部分が顔面に沿って曲がりにくくて鼻孔カニューラ１１が顔面に馴染みにくいので、人間の頭部への装着状態における適合感が良好であるとは言い難い。従って、本考案は、人間の頭部への装着状態において顔面に接触している部分が顔面に沿って曲がり易くて鼻孔カニューラが顔面に馴染み易いので、人間の頭部への装着状態における適合感が良好な、鼻孔カニューラを提供することを目的としている。
【課題を解決するための手段】
【０００６】
請求項１に係る鼻孔カニューラでは、中央部、中間部及び端部のうちの顔面との接触部を含む平面に垂直な方向における中間部の厚さが、中央部及び端部の何れの厚さよりも薄い。このため、人間の頭部への装着状態において、顔面に接触している中間部が顔面に沿って曲がり易くて、鼻孔カニューラが顔面に馴染み易い。
【０００７】
請求項２に係る鼻孔カニューラでは、中央部及び中間部における顔面との接触部が平面である。このため、人間の頭部への装着状態において、顔面に接触して顔面に沿って曲がっている中間部が顔面と面状に接触して、鼻孔カニューラが顔面に更に馴染み易い。
【考案の効果】
【０００８】
請求項１に係る鼻孔カニューラでは、人間の頭部への装着状態において顔面に接触している中間部が顔面に沿って曲がり易くて鼻孔カニューラが顔面に馴染み易いので、人間の頭部への装着状態における適合感が良好である。
【０００９】
請求項２に係る鼻孔カニューラでは、人間の頭部への装着状態において顔面に接触して顔面に沿って曲がっている中間部が顔面と面状に接触して鼻孔カニューラが顔面に更に馴染み易いので、人間の頭部への装着状態における適合感が更に良好である。
【考案を実施するための最良の形態】
【００１０】
以下、本考案を実施するための最良の一形態を、図１〜４を参照しながら説明する。図１〜３に示されている様に、本形態の鼻孔カニューラ２１は塩化ビニルやスチレン系エラストマー等の軟質の合成樹脂で製造されており、長手方向の中央部２２と、一対の端部２３と、これらの中央部２２と一対の端部２３との間の一対の中間部２４とが、鼻孔カニューラ２１に設けられている。
【００１１】
鼻孔に挿入される一対の筒状の突出部２５を中央部２２が有しており、中央部２２の内部と突出部２５の内部とが互いに連通している。図２に示されている様に、突出部２５の軸心方向から見ると、一対の突出部２５同士の間の部分で中央部２２が１３５°程度の鈍角に屈曲しており、このために鼻孔カニューラ２１の全体が「へ」の字状になっている。
【００１２】
図３に示されている様に、中央部２２のうちの上述の鈍角の屈曲部から中間部２４と端部２３との境界部までの部分は略直線状である。しかし、中央部２２から端部２３へ向かう中央部２２及び中間部２４の延在方向から、突出部２５が中央部２２から突出している側へ、端部２３が中央部２２及び中間部２４に対して傾斜している。端部２３は汎用の円筒状のチューブ１５（図５）の一方の端部が挿入及び固定されるので円筒状であるが、中央部２２及び中間部２４は角筒状である。中央部２２及び中間部２４の延在方向に垂直な断面における形状は、突出部２５の軸心方向に延びる長辺とこの長辺に垂直な方向に延びる短辺とを有する長方形である。
【００１３】
図３に示されている様に、中央部２２及び中間部２４の断面である長方形の長辺の長さは、中央部２２と中間部２４とで互いに等しい。しかし、図２に示されている様に、中央部２２及び中間部２４の断面である長方形の短辺の長さは、中間部２４よりも中央部２２で長い。これは、中央部２２の断面である長方形の短辺の部分に突出部２５を設けるためである。また、端部２３の直径は、中央部２２の断面である長方形の短辺の長さと略等しい。これは、上述の様に汎用の円筒状のチューブ１５の一方の端部を端部２３に挿入及び固定するためである。
【００１４】
中央部２２及び中間部２４の断面である長方形の短辺の長さは中央部２２よりも中間部２４で短いが、図２に示されている様に、中央部２２及び中間部２４のうちで上述の「へ」の字の劣角側の平面２６は中央部２２と中間部２４とで面一である。このため、中央部２２及び中間部２４の断面である長方形の短辺の長さが中央部２２よりも中間部２４で短い分は、中央部２２及び中間部２４のうちで「へ」の字の優角側の平面２７における段差によって形成されている。
【００１５】
上述の様に中央部２２及び中間部２４の断面である長方形の短辺の長さが中央部２２よりも中間部２４で短いので、平面２６に垂直な方向において中間部２４の厚さが中央部１２及び端部２３の厚さよりも薄いとも言える。このため、図１に示されている様に、鼻孔カニューラ２１がその中間部２４において突出部２５の軸心と垂直な面内で曲がり易い。
【００１６】
人間の頭部への鼻孔カニューラ２１の装着に際しては、図４に示されている様に、一対の突出部２５を鼻孔に挿入して鼻孔カニューラ２１を上顎から頬骨の下側にかけて位置させ、一対のチューブ１５を両耳に掛け、ストッパリング１６の位置を調節して顔面に対するチューブ１５の移動や揺動を防止することによって、顔面に対する鼻孔カニューラ２１の位置を固定する。鼻孔カニューラ２１が人間の頭部に装着されると鼻孔カニューラ２１のうちで少なくとも平面２６が顔面に接触するので、少なくとも平面２６が顔面との接触面になっている。
【００１７】
一方、顔面が曲面であり、しかも、顔面の曲面には個人差がある。しかし、上述の様に鼻孔カニューラ２１がその中間部２４において突出部２５の軸心と垂直な面内で曲がり易い。このため、人間の頭部への装着時に中間部２４が顔面に沿って曲がり易く、図１に示されている様に、装着状態では平面２６、２７が実際には曲面になっている。従って、鼻孔カニューラ２１が顔面に馴染み易くて、人間の頭部への装着状態における適合感が良好である。しかも、上述の様に少なくとも平面２６が顔面との接触面になっているので、鼻孔カニューラ２１と顔面とが面状に接触し、鼻孔カニューラ２１が顔面に更に馴染み易くて、人間の頭部への装着状態における適合感が更に良好である。
【００１８】
もし、中央部２２及び中間部２４の断面である長方形の短辺の長さが中央部２２よりも中間部２４で短い分が、上述の様に平面２７における段差によって形成されているのではなく、平面２６における段差または平面２６と平面２７との両方における段差によって形成されていれば、平面２６の段差が顔面で感じられるので、人間の頭部への鼻孔カニューラ２１の装着状態における適合感が良好であるとは言い難い。
【００１９】
また、もし、中央部２２及び中間部２４が上述の様に角筒状ではなくて端部２３と同様の円筒状であれば、鼻孔カニューラ２１と顔面とが面状ではなくて線状に接触するので、人間の頭部への鼻孔カニューラ２１の装着状態における適合感がやはり良好であるとは言い難い。
【００２０】
更に、顔面との接触面である平面２６側へ一対の突出部２５同士の間の部分で中央部２２が鈍角に屈曲しているので、人間の頭部への装着状態において、鼻孔カニューラ２１が頬骨の下側に接触し頬骨の下側に引っ掛かって顔面から外れにくい。しかも、中央部２２から端部２３へ向かう中央部２２及び中間部２４の延在方向から、突出部２５が中央部２２から突出している側へ、端部２３が中央部２２及び中間部２４に対して傾斜しているので、人間の頭部への装着状態において、鼻孔カニューラ２１は頬骨の下側を通過した後に両耳へ向かって延びている。このため、一対の端部２３に挿入及び固定されて両耳に掛けられている一対のチューブ１５が顔面に接触し易く顔面に対して移動や揺動を生じにくいので、鼻孔カニューラ２１が顔面から更に外れにくい。従って、酸素が突出部２５を介して患者に安定的に供給される。
【産業上の利用可能性】
【００２１】
本考案は、呼吸療法のための医療用具であって、人間の頭部への装着状態における適合感が良好な鼻孔カニューラの提供に利用することができる。
【図面の簡単な説明】
【００２２】
【図１】本考案を実施するための一形態であって人間の頭部への装着状態にある形態の平面図である。
【図２】本考案を実施するための一形態の平面図である。
【図３】本考案を実施するための一形態の正面図である。
【図４】本考案を実施するための一形態であって人間の頭部への装着状態にある形態の正面図である。
【図５】本考案の従来の一形態の斜視図である。
【符号の説明】
【００２３】
１５    チューブ
２１    鼻孔カニューラ
２２    中央部
２３    端部
２４    中間部
２５    突出部
２６    平面（接触部）
【図１】
0003107787.tif 000003
【図２】
0003107787.tif 000004
【図３】
0003107787.tif 000005
【図４】
0003107787.tif 000006
【図５】
0003107787.tif 000007